(57)【特許請求の範囲】
【請求項１】
互いに開閉回動自在に連結される第一部材，第二部材のいずれか一方に係合凸部を設け、他方にこの係合凸部に係合する係合凹部を設け、この係合凸部と係合凹部とが係合状態のとき第一部材と第二部材とが回動ロックされるように構成し、この係合凸部，係合凹部の少なくとも一方を係合離反方向にスライド移動自在に設けると共に、この係合凸部，係合凹部の少なくとも一方を係合方向に付勢する係合付勢機構と、係合凸部，係合凹部の少なくとも一方を回動方向に付勢する回動付勢機構と、押込みボタン部の押込み操作により前記係合凸部，係合凹部のいずれか一方を前記係合付勢機構に抗して係合離反方向にスライド移動せしめて前記係合凸部と係合凹部との係合状態を解除し得る第一係合解除機構とを備え、前記押込みボタン部を押込み操作して係合凸部と係合凹部とを係合離反させた際、この係合凸部，係合凹部の少なくとも一方を回動方向に付勢する回動付勢機構の付勢力が第一部材に対して第二部材を開放方向に回動せしめる回動付勢力となり自動的に開き回動するように構成し、且つ、第一部材に対して第二部材を閉じ回動させて係合離反状態の係合凸部と係合凹部とを係合させた際、係合凸部，係合凹部の少なくとも一方を係合方向に付勢する前記係合付勢機構の付勢力が前記係合凸部と係合凹部との係合状態を保持して第一部材に対する第二部材の前記回動付勢機構による開き回動が阻止されるように構成されたヒンジ装置であって、前記押込みボタン部を押込み操作せず、前記第一部材に対して第二部材を開き回動させた際、係合凸部，係合凹部のいずれか一方を前記係合付勢機構に抗して係合離反方向にスライド移動せしめて前記係合凸部と係合凹部との係合状態を解除し得る第二係合解除機構を具備し、前記第一係合解除機構は、押込みボタン部とこの押込みボタン部の押込み操作によって可動する可動軸とから構成し、この押込み操作による可動軸の可動によって、前記係合凸部，係合凹部のいずれか一方がこの可動と連動して、係合離反方向にスライド移動するように構成されており、前記可動軸を軸受けする軸受部にこの可動軸の所定位置と係合する係合カム部を設け、前記押込みボタン部を押込み操作せず、前記第一部材に対して第二部材を開き回動させた際、この軸受部に対して相対回動した可動軸は係合カム部から係脱することで係合離反方向に可動して、前記係合凸部，係合凹部のいずれか一方を前記係合付勢機構に抗して係合離反方向にスライド移動せしめて、前記係合凸部と係合凹部との係合状態を解除し得るように設けて前記第二係合解除機構を構成したことを特徴とするヒンジ装置。
【請求項２】
前記押込みボタン部を押込み操作せず、前記第一部材に対して第二部材を閉塞状態から所定開放角度位置までの間を開き回動させている際、前記可動軸が可動して、前記係合凸部，係合凹部のいずれか一方を前記係合付勢機構に抗して係合離反方向にスライド移動せしめるように構成すると共に、前記第一部材に対する第二部材の開き回動力が前記係合凸部，係合凹部同志を相対回動させる力として作用していない状態となるように設けて前記第二係合解除機構を構成したことを特徴とする請求項１記載のヒンジ装置。
【請求項３】
請求項１，２のいずれか１項に記載のヒンジ装置を枢着部に設けたことを特徴とするヒンジ装置を用いた携帯式電子機器。
【請求項４】
前記第一部材若しくは前記第二部材としての本体部と、これに重合する前記第二部材若しくは第一部材としてのディスプレイ部若しくはフリップとを重合状態から所定開放角度まで開閉できるように枢着する枢着部に、前記請求項１〜３のいずれか１項に記載のヒンジ装置を用いたことを特徴とする請求項４記載のヒンジ装置を用いた携帯式電子機器。
【発明の詳細な説明】
【０００１】
【発明の属する技術分野】
本発明は、第一部材と第二部材を枢着するヒンジ装置並びにヒンジ装置を用いた携帯式電子機器に関するものである。
【０００２】
【従来の技術及び発明が解決しようとする課題】
例えば、携帯式電子機器の典型例としての携帯式電話機においては、携帯式電話機本体（本体部とディスプレイ部）を折り畳み自在に設けられた折り畳みタイプがある。
【０００３】
この折り畳みタイプは、スイッチの誤作動防止、折り畳み時におけるコンパクト化（ディスプレイの面積の確保）、デザインの多様性などの点において秀れている。
【０００４】
このような折り畳みタイプの携帯式電子機器においては、その開放をワンタッチ式に行うことが要望されている。
【０００５】
そこで、本出願人は、この要望に応ずるべく、本体部とディスプレイ部とを枢着するヒンジ装置に設けた解除操作部（押込みボタン）を指で押すだけで、閉塞しているディスプレイ部が自動的に開放回動するように構成したヒンジ装置を提案している。
【０００６】
このヒンジ装置の構造について簡単に説明すると、携帯式電子機器の本体部，ディスプレイ部いずれか一方に対して回り止め状態に係合凸部を設け、他方に対して回り止め状態にこの係合凸部に係合する係合凹部を設け、この係合凸部と係合凹部とが係合状態のとき本体部とディスプレイ部とが回動ロックされるように構成し、この係合凸部，係合凹部の少なくとも一方を係合離反方向にスライド移動自在に設けると共に、この係合凸部，係合凹部の少なくとも一方を係合方向に付勢する係合付勢バネと、係合凸部，係合凹部の少なくとも一方を回動方向に付勢する回動付勢バネとを備え、前記係合凸部，係合凹部のいずれか一方を前記係合付勢バネに抗して離反方向にスライド移動させることで前記回動付勢バネにより係合凸部，係合凹部のいずれか一方を自動回動させるロック解除操作部（押込みボタン）を備えたものである。
【０００７】
従って、係合付勢バネの係合付勢力に抗して押込みボタンを押し込むことで、係合凸部と係合凹部との係合状態が解除され、この係合凸部，係合凹部の少なくとも一方が回動付勢バネの付勢力で回動することで、本体部に対してディスプレイ部が開き回動することになる。
【０００８】
ところで、特に女性ユーザーにおいては、このディスプレイ部の開き操作に際して、押込みボタンの軽いタッチによりディスプレイ部が開くことが望まれており、この対処としては、係合付勢バネの付勢力を弱くすることになるが、この係合付勢バネの付勢力を弱くしてしまうと、回動付勢バネの付勢力により係合凸部と係合凹部との係合状態が解除され易く、即ち、例えば落としたりぶつかった際などほんの僅かな衝撃によっても本体部に対してディスプレイ部が開き回動するようになってしまい、また、本体部に対するディスプレイ部の閉塞時の閉じ力が弱くなってまうなど、この係合付勢バネを弱くするには限界がある。
【０００９】
本出願人は、前述したヒンジ装置に更なる実験・研究を重ね、より一層商品価値の高い画期的なヒンジ装置並びにヒンジ装置を用いた携帯式電子機器を開発した。
【００１０】
【課題を解決するための手段】
添付図面を参照して本発明の要旨を説明する。
【００１１】
互いに開閉回動自在に連結される第一部材１，第二部材２のいずれか一方に係合凸部３を設け、他方にこの係合凸部３に係合する係合凹部４を設け、この係合凸部３と係合凹部４とが係合状態のとき第一部材１と第二部材２とが回動ロックされるように構成し、この係合凸部３，係合凹部４の少なくとも一方を係合離反方向にスライド移動自在に設けると共に、この係合凸部３，係合凹部４の少なくとも一方を係合方向に付勢する係合付勢機構５と、係合凸部３，係合凹部４の少なくとも一方を回動方向に付勢する回動付勢機構６と、押込みボタン部８の押込み操作により前記係合凸部３，係合凹部４のいずれか一方を前記係合付勢機構５に抗して係合離反方向にスライド移動せしめて前記係合凸部３と係合凹部４との係合状態を解除し得る第一係合解除機構７とを備え、前記押込みボタン部８を押込み操作して係合凸部３と係合凹部４とを係合離反させた際、この係合凸部３，係合凹部４の少なくとも一方を回動方向に付勢する回動付勢機構６の付勢力が第一部材１に対して第二部材２を開放方向に回動せしめる回動付勢力となり自動的に開き回動するように構成し、且つ、第一部材１に対して第二部材２を閉じ回動させて係合離反状態の係合凸部３と係合凹部４とを係合させた際、係合凸部３，係合凹部４の少なくとも一方を係合方向に付勢する前記係合付勢機構５の付勢力が前記係合凸部３と係合凹部４との係合状態を保持して第一部材１に対する第二部材２の前記回動付勢機構６による開き回動が阻止されるように構成されたヒンジ装置であって、前記押込みボタン部８を押込み操作せず、前記第一部材１に対して第二部材２を開き回動させた際、係合凸部３，係合凹部４のいずれか一方を前記係合付勢機構５に抗して係合離反方向にスライド移動せしめて前記係合凸部３と係合凹部４との係合状態を解除し得る第二係合解除機構９を具備し、前記第一係合解除機構７は、押込みボタン部８とこの押込みボタン部８の押込み操作によって可動する可動軸10とから構成し、この押込み操作による可動軸10の可動によって、前記係合凸部３，係合凹部４のいずれか一方がこの可動と連動して、係合離反方向にスライド移動するように構成されており、前記可動軸10を軸受けする軸受部11にこの可動軸10の所定位置と係合する係合カム部12を設け、前記押込みボタン部８を押込み操作せず、前記第一部材１に対して第二部材２を開き回動させた際、この軸受部11に対して相対回動した可動軸10は係合カム部12から係脱することで係合離反方向に可動して、前記係合凸部３，係合凹部４のいずれか一方を前記係合付勢機構５に抗して係合離反方向にスライド移動せしめて、前記係合凸部３と係合凹部４との係合状態を解除し得るように設けて前記第二係合解除機構９を構成したことを特徴とするヒンジ装置に係るものである。
【００１２】
また、前記押込みボタン部８を押込み操作せず、前記第一部材１に対して第二部材２を閉塞状態から所定開放角度位置までの間を開き回動させている際、前記可動軸10が可動して、前記係合凸部３，係合凹部４のいずれか一方を前記係合付勢機構５に抗して係合離反方向にスライド移動せしめるように構成すると共に、前記第一部材１に対する第二部材２の開き回動力が前記係合凸部３，係合凹部４同志を相対回動させる力として作用していない状態となるように設けて前記第二係合解除機構９を構成したことを特徴とする請求項１記載のヒンジ装置に係るものである。
【００１３】
また、請求項１，２のいずれか１項に記載のヒンジ装置を枢着部に設けたことを特徴とするヒンジ装置を用いた携帯式電子機器に係るものである。
【００１４】
また、前記第一部材１若しくは前記第二部材２としての本体部と、これに重合する前記第二部材２若しくは第一部材１としてのディスプレイ部若しくはフリップとを重合状態から所定開放角度まで開閉できるように枢着する枢着部に、前記請求項１〜３のいずれか１項に記載のヒンジ装置を用いたことを特徴とする請求項４記載のヒンジ装置を用いた携帯式電子機器に係るものである。
【００１５】
【発明の実施の形態】
好適と考える本発明の実施の形態（発明をどのように実施するか）を、図面に基づいてその作用効果を示して簡単に説明する。
【００１６】
係合凸部３と係合凹部４とが係合することで第一部材１と第二部材２とは回動ロックされる。この係合凸部３と係合凹部４は、係合付勢機構５により付勢されているため、回動付勢機構６により回動付勢されていても係合凸部３と係合凹部４とが係合した回動ロック状態は保持される。
【００１７】
即ち、例えば第一部材１と第二部材２とが重合した閉塞状態において、係合凸部３と係合凹部４とが係合した状態となるようにした場合、係合付勢機構５により係合付勢されている係合凸部３と係合凹部４との係合によって例えば係合凸部３と係合凹部４とが係脱する位置まで回動しない限り第一部材１と第二部材２との閉塞状態が保持されることになる。
【００１８】
この係合されている回動ロック状態において、第一係合解除機構７に係る押込みボタン部８を押込み操作すると、例えば第一部材１に設けられている係合凸部３に対して、第二部材２に設けられている係合凹部４が係合付勢機構５に抗して離反方向にスライド移動する。この係合凸部３と係合凹部４とが係合離反することで、回動ロック状態は解除され、回動可能となり、回動付勢機構６により例えば回動付勢されている係合凹部４が相対回動する。
【００１９】
即ち、押込みボタン部８のワンタッチ解除操作によって、第一部材１に対して第二部材２が所定角度だけ自動的に開き回動する。
【００２０】
また、本発明は、押込みボタン部８を押し込み操作せず、前記第一部材１に対して第二部材２を相対回動させた際においても、係合凸部３，係合凹部４のいずれか一方を前記係合付勢機構５に抗して離反方向にスライド移動せしめる第二係合解除機構９を具備している。
【００２１】
これは、押込みボタン部８におけるワンタッチ解除操作が楽に行えるようにするなどの種々のメリットを得る為の構成である。
【００２２】
即ち、例えば第一部材１と第二部材２との閉塞状態は、係合付勢機構５により係合付勢されている係合凸部３と係合凹部４との係合によって例えば係合凸部３と係合凹部４とが係脱する位置まで回動しない限り保持されることになるが、この係合凸部３と係合凹部４との係合力を強くする方法としては、係合付勢機構５の付勢力を強くする方法が考えられるが、前述にもしたようにこの係合付勢機構５の付勢力を強くすると、それだけ押込みボタン部８の押込みに際して強い力が必要となってしまう。また、この他にも、係合凸部３と係合凹部４との係合力を強くする方法としては、係合凸部３と係合凹部４との係合部分を鋭角な係合関係として落ち込み力を強くする方法も考えられる。
【００２３】
ところが、この係合凸部３と係合凹部４との係合部分の角度を鋭角にし過ぎると（きつくし過ぎると）、押込みボタン部８を押込み操作せず、第一部材１に対して第二部材２を開き回動させようとしても、例えば係合凸部３が係合凹部４を乗り上がることができない（相対回動できない）為に係脱するこができず、よって、第一部材１と第二部材２とを開き回動させることができなくなってしまう。
【００２４】
そこで、本発明は、押込みボタン部８を押込み操作せず、前記第一部材１に対して第二部材２を相対回動させた際においても、係合凸部３，係合凹部４のいずれか一方を前記係合付勢機構５に抗して離反方向にスライド移動せしめる第二係合解除機構９を具備したから、例えば係合凸部３と係合凹部４との係合部分を鋭角にしても不都合は生じず、即ち、例えば係合凹部４から係合凸部３を強制的に係合離反方向にスライド移動させて係脱させることができることになり、よって、例えば係合付勢機構５の付勢力を弱くしたとしても係合凸部３と係合凹部４の間に回動付勢機構６の回動付勢力に勝る強い係合力が得られることになるから、例えば押込みボタン部８を押さなくても第一部材１に対して第二部材２が勝手に開き回動してしまうようなことは無く、押込みボタン部８を押込み操作しても或いは押込みボタン部８を押込み操作しなくても第一部材１に対して第二部材２を開き回動したいときにはいつでも良好に開き回動することができ、しかも、係合付勢機構５の係合付勢力を弱く設定することができる故に押込みボタン部８におけるワンタッチ解除操作が楽に行える構造が得られることにもなる。
【００２５】
【実施例】
本発明の具体的な実施例について図面に基づいて説明する。
【００２６】
本実施例は、図面に示すように携帯式電話機に適用した場合のもので、本体部を第一部材１とし、ディスプレイ部を第二部材２とし、本体部１とディスプレイ部２とが重合した閉塞状態からディスプレイ部２を例えば１２０度まで回動した開放状態（通話位置）とすることができる枢着構造に本発明のヒンジ装置Ｘを適用している。
【００２７】
本実施例では、本体部１の基部に取付孔１ａを設け、ディスプレイ部２の基部にもこれと連通状態に隣接する取付孔２ａを設け、この取付孔１ａ，２ａ夫々に軸状パーツとして構成した本発明のヒンジ装置Ｘを挿着する構成としている。
【００２８】
ディスプレイ部２（第二部材２）には、前記取付孔２ａを介して回り止め形状とした断面八角形状のケーシング13を固定し、このケーシング13の一端側に露出状態で配される断面八角形状の部材を取付部11として前記取付孔１ａを介して本体部１（第一部材１）に固定している。この取付部11及びケーシング13は、図示したように断面八角形状としているが、これは本体部１及びディスプレイ部２に対する堅固な回り止め固定を達成するための構成であると共に、この回り止め構造を備えながら内部に効率良く部品を収納し得る形状としての八角形状を採用している。符号11ａは係止糸リブ、11ｂは後述する連結部材15の相対回動角度を規制する回動規制段部である。
【００２９】
また、この取付部11の内側先端部には、前記ケーシング13内に配される係合凸部３が連設されている。
【００３０】
また、ケーシング13の他端側には閉塞部13ａを設け、この閉塞部13ａの内側先端部には、前記係合凸部３と対向し、互いに係合する係合凹部４を設け、この係合凹部４は、ケーシング13内に回り止め状態に設けると共に、ケーシング13に設けた案内溝13ｂに沿って係合離反方向にスライド移動自在に設けられている。
【００３１】
また、この係合凹部４と前記閉塞部13ａとの間のケーシング13内には、係合凹部４を係合方向に付勢する押しバネとしてのコイルバネを係合付勢機構５として配設している。符号18はケーシング13内に回り止め状態に配設され、係合付勢機構５を受ける八角形状の受け板部18ａと、ディスプレイ部２の取付孔２ａ内に嵌め殺し状態で嵌着する嵌着部18ｂとから成る連結体である。
【００３２】
また、一方、係合凸部３の基部には、トルクバネを回動付勢機構６として設けて、ケーシング13を回動付勢することで、係合凸部３に対して係合凹部４を相対回動付勢するように構成している。
【００３３】
この回動付勢機構６は、本体部１に対してディスプレイ部２を開放状態から閉塞状態にすることにより捩れが蓄えられて、回動トルクが生じるように構成している。符号17はトルクバネをケーシング13に止着するための止着部材である。
【００３４】
また、係合凸部３の中央部には係合凹部４の中央部と合致する貫通孔14が形成されており、この貫通孔14には第一係合解除機構７及び第二係合解除機構８を構成する可動軸10を挿通連結している。
【００３５】
即ち、係合凹部４を離反方向にスライド移動させる第一係合解除機構７は、指で押圧操作する押込みボタン部８に可動軸10を前記係合凸部３の貫通孔14を挿通して前記係合凹部４の中央部に相対回動自在に連結するように構成し、押込みボタン部８を内側へ押し込むと、可動軸10により係合凹部４は係合凸部３に対して係合付勢機構５に抗して離反方向に押動する構成としている。
【００３６】
また、係合凸部３の中央部に形成された貫通孔14は後述する可動軸10の突部10ａが形成された部位の断面積と同一断面形状に形成されており、よって、この係合凸部３に対して可動軸10はスライド移動自在にして該係合凸部３と共に一体的に軸回動し得るように構成されている。符号19はスペーサーである。
【００３７】
また、係合凹部４は、１８０度対称位置にコ字状の凹部を形成し、この凹部が係合凸部３が係合する係合部分であり、係脱状態となるフリーストップ領域ではこの凹部間の頂面部４ａに係合凸部３の先端面３ａが係合付勢機構５による戻り押圧力により圧接し、回動付勢機構６の回動付勢が生じていても手で押さない限り停止保持されるように構成している。
【００３８】
即ち、係合凹部４の凹部内を前記係合凸部３が係合する部分とし、この係合凹部４の頂面部４ａを前記係合凸部３の先端面３ａがフリーストップ状態の時に圧接するフリーストップ面とし、この係合凹部４の底面４ｂからこの頂面部４ａまでの凹部内斜面４ｃが係合凸部３の係脱する際の乗り上がり面とし、この乗り上がり面の角度を係合凸部３が回動付勢機構６の回動付勢力により係脱しないだけの十分な係合力を得るための角度（鋭角）に設定されている。尚、フリーストップ状態とは、本体部１に対してディスプレイ部２が所定角度で保持される状態を言う。
【００３９】
更に説明すると、係止凸部３は、係合付勢機構５に抗して係合凹部４を係合離反方向にスライド移動させない限り乗り越え回動できないように構成され、押込みボタン部８により係合凹部４を離反移動させると、係合凹部４は係合付勢機構５として設けたコイルバネに抗して移動して係合凸部３との係合状態は解除される。
【００４０】
従って、押込みボタン部８により押し込むことで、ワンタッチで係合凸部３と係合凹部４との係合状態が解除されることになる。
【００４１】
つまり、押込みボタン部８の押込み操作により、可動軸10が係合凹部４を押し込んで係合凸部３と係合凹部４とが強制的に離反するように構成したから、係合凸部３と係合凹部４との係合部分を鋭角とすることができる故に係合付勢機構５を弱いバネとすることができ、押込みボタン部８の押込み操作力を弱くでき、よって、指で軽く押込み解除操作できるようにしている（図９参照）。
【００４２】
また、回動付勢機構６により開放状態では開放付勢されるが、本実施例では、開放状態で再び係合状態となり、係合付勢機構５による係合付勢によってカム力が生じ、開放付勢されるように構成している。尚、この開放付勢時における係合凸部３が係合する際の係合凹部４の凹部内斜面は鋭角にせず比較的緩い角度としており、係合凹部４に対する係合凸部３の乗り上げ及び落ち込みが円滑に行われるように構成されている。
【００４３】
また、本実施例は、前記押込みボタン部８を押込み操作せず、前記第一部材１に対して第二部材２を開き回動させた際、係合凸部３，係合凹部４のいずれか一方を前記係合付勢機構５に抗して係合離反方向にスライド移動せしめて前記係合凸部３と係合凹部４との係合状態を解除し得る第二係合解除機構９を設けている。
【００４４】
具体的には、前記押込みボタン部８を押込み操作せず、前記本体部１に対してディスプレイ部２を重合状態となる閉塞状態から所定開放角度位置までの間を開き回動させている際には、前記可動軸10が可動して、前記係合凹部４を前記係合付勢機構５に抗して係合離反方向にスライド移動せしめ、且つ、前記本体部１に対するディスプレイ部２の開き回動力が前記係合凸部３，係合凹部４同志を相対回動させる力として作用しない状態となる第二係合解除機構９を設けている。
【００４５】
即ち、前記可動軸10は、連結部材15を介して前述した取付部11としての軸受部11に連結されており、軸受部11に対して相対回動自在にしてスライド移動自在に設けられている。
【００４６】
また、可動軸10の所定位置には一対の突部10ａが形成されており、この可動軸10に設けた突部10ａと係合する係合カム面12ａを有する係合カム部12を軸受部11に設けており、前記押込みボタン部８を押込み操作せず、前記本体部１に対してディスプレイ部２を開き回動させた際、この軸受部11に対して相対回動した可動軸10は係合カム部12から係脱することで係合離反方向に可動して、前記係合凹部４を前記係合付勢機構５に抗して係合離反方向にスライド移動せしめて、前記係合凸部３と係合凹部４との係合状態を解除し得るように設けている。
【００４７】
即ち、押込みボタン部８を押込み操作せず、コンパクトを開くように本体部１に対してディスプレイ部２を開き回動させると、可動軸10の突部10ａは係合カム部12の係合カム面12ａを乗り上がると共に、係合凹部４を係合離反方向に押し込むことになる。すると、係合凸部３と係合凹部４とは完全に係脱して相対回動可能な状態となり、ディスプレイ部２をそのまま開放状態となる位置まで開き回動させることができる（図11参照）。
【００４８】
ところで、本実施例では、第二係合解除機構９の作動時において、軸受部11に対して可動軸10が相対回動している際（可動軸10が係合凹部４を押込み可動している際）には、係合凸部３，係合凹部４同志は互いに相対回動不能となり、且つ、軸受部11に対する可動軸10の相対回動が規制された際（可動軸10の係合凹部４に対する押込み可動が停止した際）には、係合凸部３，係合凹部４同志は完全に係脱して互いに相対回動可能となるように構成されている。
【００４９】
具体的には、図15，16に図示したように可動軸10を軸受部11に連結するための連結部材15は、軸受部11に対して約６０°の角度で相対回動が回動規制段部11ｂにより規制される状態で連結されると共に、つる巻状の発条16によって常時一側に回動付勢されており、よって、連結部材15（可動軸10）は軸受部11に対して発条16に抗しながら所定方向に回動自在となるように構成されている。本実施例では、この発条16の付勢力を本体部１に対するディスプレイ部２の閉じ付勢力として機能せしめている。
【００５０】
従って、本体部１に対してディスプレイ部２を開き回動させた際、連結部材15は発条16に抗しながら軸受部11に対して回動している際には可動軸10が係合カム部12に対して回動すると共に、係合カム面12ａを乗り上がって可動することで、係合突部３と係合凹部４との係合状態は解除され、この際には可動軸10の回動とともに係合凸部３と係合凹部４とは係合状態のまま一緒に軸回動ている。また、連結部材15（可動軸10）の軸受部11に対する回動が規制された際、可動軸11及び係合凸部３の回動は停止し、一方、係合凹部４はディスプレイ部２の開き回動に順じてそのまま係合凸部３に対して相対回動することになる。
【００５１】
つまり、押込みボタン部８を押込み操作せず、本体部１に対して重合する閉塞状態のディスプレイ部２を開き回動させた際には、最初の約６０°の開き回動時には、係合凸部３と係合凹部４とは互いに相対回動せず同一方向に回動しながら、可動軸10の可動による係合凸部３に対する係合凹部４の係合離反方向へのスライド移動により係合凸部３と係合凹部４との係合状態の解除が行われ、この約６０°の開き回動位置を過ぎた後は、係合凸部３の回動は停止し、係合凹部４だけがディスプレイ部２の開き回動に伴い係合凸部３に対して相対回動することになる。
【００５２】
これは、本体部１に対してディスプレイ部２を開き回動させると同時に係合凸部３と係合凹部４とが互いに相対回動しようとしたのでは、この係合凸部３と係合凹部４とは鋭角な係合状態で係合している為に相対回動することはできない（仮に相対回動したとしてもこの係合部分には破損が生じる。）が、本実施例のように、この可動軸10の可動のタイミングと係合凸部３と係合凹部４との相対回動タイミングをずらすことで、押込みボタン部８を押込み操作せず、本体部１に対してディスプレイ部２を開き回動させるに際して、何ら違和感無くスムーズに開き回動が行えることになる。
【００５３】
尚、本発明は、本実施例に限られるものではなく、各構成要件の具体的構成は適宜設計し得るものである。
【００５４】
【発明の効果】
本発明は上述のように構成したから、ワンタッチ操作で自動的に開き回動して非常に使い易く、押込みボタン部の解除操作力を小さくできるため、軽い指の操作でワンタッチ開放回動できることとなり、従来の問題も心配も生じない画期的なヒンジ装置となる。
【００５５】
また、本発明においては、押込みボタン部を押してワンタッチ操作による開き回動を行った場合でも、押込みボタン部を押込み操作せず第一部材に対して第二部材を相対回動させた場合でも、常に確実且つ良好な開き回動が行われることになり、極めて実用性に秀れたヒンジ装置となる。
【００５６】
また、請求項３記載の発明においては、より一層実用性に秀れたヒンジ装置となる。
【００５７】
また、請求項４記載の発明においては、極めて商品価値の高い画期的なヒンジ装置を用いた携帯式電子機器となる。
【図面の簡単な説明】
【図１】  本実施例の使用状態説明図である。
【図２】  本実施例を示す斜視図である。
【図３】  本実施例に係る要部の説明図である。
【図４】  本実施例の分解斜視図である。
【図５】  本実施例に係る要部の説明図である。
【図６】  本実施例に係る要部の説明図である。
【図７】  本実施例を示す断面図である。
【図８】  本実施例を示す断面図である。
【図９】  本実施例の概略動作説明図である。
【図１０】  本実施例の概略動作説明図である。
【図１１】  本実施例の概略動作説明図である。
【図１２】  本実施例の動作説明図である。
【図１３】  本実施例の動作説明図である。
【図１４】  本実施例の動作説明図である。
【図１５】  本実施例に係る要部の分解斜視図である。
【図１６】  本実施例に係る要部の分解斜視図である。
【符号の説明】
１  第一部材
２  第二部材
３  係合凸部
４  係合凹部
５  係合付勢機構
６  回動付勢機構
７  第一係合解除機構
８  押込みボタン部
９  第二係合解除機構
10  可動軸
11  軸受部
12  係合カム部
【図１】
0003727271.tif 000002
【図２】
0003727271.tif 000003
【図３】
0003727271.tif 000004
【図４】
0003727271.tif 000005
【図５】
0003727271.tif 000006
【図６】
0003727271.tif 000007
【図７】
0003727271.tif 000008
【図８】
0003727271.tif 000009
【図９】
0003727271.tif 000010
【図１０】
0003727271.tif 000011
【図１１】
0003727271.tif 000012
【図１２】
0003727271.tif 000013
【図１３】
0003727271.tif 000014
【図１４】
0003727271.tif 000015
【図１５】
0003727271.tif 000016
【図１６】
0003727271.tif 000017